(57)【要約】【課題】ユーザが定型業務を繰り返し行う際、処理ごとにファイルの保存場所を変える場合、保存場所を選択するという手間がある。また、ファイルの保存後にファイルを任意のフォルダに移動することや不要になった元ファイルを削除するという手間がある。【解決手段】情報処理装置がアプリケーションの操作とファイルの保存先を関連付ける手段を備える。また、ファイルの保存後にファイルを任意のフォルダに移動することや不要になった元ファイルの削除を行う。【選択図】  図１０
2015022680.tif 000002
【特許請求の範囲】
【請求項１】
ファイルの編集及び保存が可能なアプリケーション（２０１）において、
前記アプリケーションの操作に対応したファイルの保存先の構成情報（７００）を生成する手段（Ｓ８０１〜Ｓ８０３）と、
前記生成された構成情報（７００）を記憶する記憶手段（Ｓ８０３）と、
前記アプリケーションから実行した操作を解析する操作解析手段（Ｓ９０１）と、
前記操作解析手段によって確認した前記アプリケーションの操作と、前記記憶手段に記憶されている前記構成情報によって、ファイルの保存先を決定する保存先決定手段（Ｓ９０２）と、
前記保存先決定手段によって決定された保存先にファイルを移動または削除する実行手段（Ｓ１００４、Ｓ１００６）を有することを特徴とする情報処理システム。
【請求項２】
前記情報処理システムは、前記情報処理装置が受け取ったアプリケーションの操作（Ｓ９０１）と前記構成情報に保存されたアプリケーションの操作（７０２）が一致した際にユーザへ通知を行う手段（Ｓ１２０１、Ｓ１２０２）を有することを特徴とする請求項１に記載の情報処理システム。
【請求項３】
前記情報処理システムは、前記構成情報のファイルの保存先（７０３）をファイル保存時のダイアログの保存先の初期値として出力する手段（Ｓ１２０７）を有することを特徴とする請求項１に記載の情報処理システム。
【請求項４】
前記情報処理装置が受け取ったユーザのアプリケーションの操作（Ｓ９０１）と前記アプリケーション全体又は任意のフォルダによってファイルの保存先を変更する手段（Ｓ９０２）を有することを特徴とする請求項1に記載の情報処理システム。
【発明の詳細な説明】
【技術分野】
【０００１】
本発明は、ファイルの操作に応じてファイルの保存先と保存方法を変化させる手順に関する。
【背景技術】
【０００２】
近年、オフィス内では、電子化されたドキュメントをアプリケーションで管理・編集し、業務の効率化が図られている。ユーザがアプリケーションを用いてファイルを保存する際に、自らが望む保存先に関する設定（構成情報等）をアプリケーションに対し行っておくことで、業務の効率化を図ることが出来る。
【０００３】
しかし、アプリケーションを介してファイルを保存する際に、ファイルの保存の仕方によって作業を終えたファイルの保存先の選択や移動方法が変わることから、繰り返し行われる定型業務において、業務効率が低下する懸念がある。
【０００４】
そこで、従来、アプリケーションがファイルに対して複数の保存場所の情報を付与する技術が提案されている(特許文献１参照）。上記技術によれば、予め決めておいた保存場所にファイルを保存することができるため、保存場所の選択の手番を軽減することができる。
【先行技術文献】
【特許文献】
【０００５】
【特許文献１】特開２００１−１９５２９０号公報
【発明の概要】
【発明が解決しようとする課題】
【０００６】
しかしながら、特許文献１の方法では、ユーザが繰り返し行われる定型業務を行う際、処理ごとにファイルの保存場所を変える場合において、保存場所を選択するという手間がある。そのため、ユーザがファイルに対して複数の保存場所を付与していても、前記付与情報から保存場所を選択するという手番があった。また、ファイルの保存後にファイルを任意のフォルダに移動することや不要になった元ファイルを削除するという手間もあった。
【課題を解決するための手段】
【０００７】
情報処理装置（１００）が有するファイルの編集及び保存が可能なアプリケーション（２０１）において、前記情報処理装置が前記アプリケーションの操作に対応したファイルの保存先の構成情報（７００）を生成する手段（Ｓ８０１〜Ｓ８０３）と、前記情報処理装置が受け取ったアプリケーションの操作によってファイルの保存先を変更する手段（Ｓ９０２）と、前記情報処理装置が前記構成情報を用いてファイルを削除及び移動を行う手段（Ｓ１００６、Ｓ１００９）と、を有することを特徴とする情報処理システム。
【発明の効果】
【０００８】
本発明によれば、ユーザが繰り返し行われる定型業務を行う際、処理ごとにファイルの保存場所を変える場合、保存場所を選択せずにファイルの保存が可能とある。また、ファイルの保存後にファイルを任意のフォルダに移動することや不要になった元ファイルを削除することもないため、効率的に作業が行える。
【図面の簡単な説明】
【０００９】
【図１】情報処理装置のハードウェア構成を示す図である。
【図２】ソフトウエアの構成を説明するブロック図である。
【図３】ドキュメントを編集するためのＵＩの一例を示す図である。
【図４】操作とファイルの保存先を関連付ける設定を行うＵＩの一例を示す図である。
【図５】ファイル保存を行うか否か確認するためのＵＩの一例を示す図である。
【図６】名前を付けて保存する際のＵＩの一例を示す図である。
【図７】操作とファイルの保存先を関連付けた構成情報の一例を示す図である。
【図８】情報処理装置で構成情報を生成する処理フローを示すフローチャートである。
【図９】情報処理装置で構成情報を取得する処理フローを示すフローチャートである。
【図１０】情報処理装置でファイルを保存する処理フローを示すフローチャートである。
【図１１】操作とファイルの保存先を関連付ける設定を行うＵＩの一例を示す図である。
【図１２】情報処理装置でファイルを保存する処理フローを示すフローチャートである。
【発明を実施するための形態】
【００１０】
以下、本発明の実施の形態を図面に基づいて説明する。
【００１１】
図１は、本発明の一実施形態における情報処理装置１００のハードウェア構成を示す図である。本例は、情報処理装置が文書を処理可能なシステムである。
【００１２】
図１において、１００は情報処理装置であって、ユーザが使用するコンピュータである。なお、情報処理装置１００には、所定のオペレーティングシステム（ＯＳ）がインストールされ、かつ、特定の機能処理を実行する各種のアプリケーションもインストールされている。
【００１３】
ここで、特定の機能処理とは、文書処理、表計算処理、プレゼンテーション処理、画像処理、図形処理等が含まれ、各アプリケーションはそれぞれ独自のデータ構造（ファイル構造）を備える。さらに、ＯＳは、各ファイルの識別子を参照して対応するアプリケーションに印刷指示を行える構成となっている。
【００１４】
また、本実施形態を示す情報処理装置１００には、デスクトップ上の様々な機能を統合して管理する統合アプリケーションがインストールされている。
【００１５】
ここで、統合アプリケーションは、情報を都合管理する機能、印刷コストを削減する機能、ファクス業務を改善する機能処理、紙の電子化業務を改善する機能、電子文書による承認業務のための機能、社内の情報を共有する機能を備えている。
【００１６】
また、情報処理装置１００はユーザ操作入力を受信する入力デバイスであるキーボード１０５とポインティングデバイス１０６が設けられている。さらに、情報処理装置１００は、ユーザに視覚的な出力情報フィードバックを与える表示部１０２を備える。
【００１７】
さらに、本実施形態における各種プログラムや実行情報を保管する記憶デバイスＲＡＭ
１０３，ＨＤＤ１０７，ＲＯＭ１０４，ＣＤ−ＲＯＭ１０８が設けられる。さらに、外部機器との通信を行うインターフェイスデバイスＩ／Ｏ１０９を備え、プログラム実行を行うＣＰＵ１０１を備える。なお、周辺機器との接続形態は有線／無線を問わない。
【００１８】
図２は、ソフトウエアの構成を説明するブロック図である。統合アプリケーション２０１は、上述した各種の機能を実行するための各種のユーザインタフェースを備え、情報処理装置のデスクトップ上でユーザからの要求を受け付けて、各機能処理の実行を総括的に管理している。
【００１９】
２０２〜２０６は、統合アプリケーションを構成するコンポーネントを示している。２０２は、統合アプリケーションのＵＩ部で図３に示すユーザインタフェースの構築や、ユーザからの各種入力操作の受け付けを処理する。２０３は、統合アプリケーションで文書管理をするための保存領域（以下、ライブラリー）へのアクセスや、各種ファイル操作を統括的に処理するライブラリー管理部である。２０４は、統合アプリケーションの操作と保存先の関連付けの設定を管理している、保存操作関連付け情報部である。２０５は、２０４で設定した関連付けの設定を格納しておく記憶部である。２０６は、２０２で受け付けた各種入力操作を元に前記入力操作と対応した動作を出力するアプリケーション実行部である。
【００２０】
図３は、統合アプリケーションのユーザインタフェースの一例を示している。３００はメインウインドウを示している。図３の３０１は前述のライブラリーを登録した際に表示されるアイコン及び選択している保存場所に格納されているファイルやフォルダを表示するファイルリストペインを示している。ライブラリーは、記憶部（２０５）の記憶領域を保存領域として利用する。３０２は、統合アプリケーションで選択しているファイルのリストペインを示している。たとえば、複数ページを含むファイルであれば、ページ数分のページが表示される。
【００２１】
３０３は、前述のファイルのリストペイン（３０２）で選択しているページを示している。３０４は、前述のファイルに付与できるアノテーションのリストペインを示している。３０５は、前述の選択しているファイル（３０３）に付与されたアノテーションを示している。たとえば、前述のアノテーションのリストペイン（３０４）から「印A」を選択し、前述の選択しているファイル（３０３）にアノテーションを付与することが可能である。
【００２２】
図３の３０６は、ユーザが行った統合アプリケーションの操作と選択しているファイル（３０３）の保存場所の関連付け設定を行うことが可能である。統合アプリケーションの操作は、たとえば、前述のライブラリー（３０１）に格納されているファイルをファイルのリストペイン（３０２）へインポートする操作や前述の選択しているファイル（３０３）にアノテーションの付与する操作である。
【００２３】
図４は、統合アプリケーションで構成情報を生成するための表示例を示す図である。４００は構成情報設定ダイアログを示しており、アプリケーションの操作とファイルの保存場所の関連付けに必要な構成情報を設定することが可能なものとする。
【００２４】
構成情報とは、ユーザが行うアプリケーションの操作４０１、保存用フォルダ４０２、通知設定の有無４０３、アプリケーションの操作とファイルの保存場所の関連付けに必要な設定のことである。保存用フォルダ（４０２）は情報処理装置やネットワーク上のフォルダも可能なものとする。４０３は構成情報で設定したアプリケーションの操作をユーザが行った際に、ファイルを保存するか否かを確認するダイアログを表示するか否かを設定するチェックボックスであり、チェックＯＮにすることで確認用のダイアログを表示することが可能になる。
【００２５】
アプリケーションの操作とファイルの保存場所の関連付けとは、たとえば、アプリケーションの操作４０１（ex.アノテーションAを使用）をユーザが行った際に保存用フォルダ（ex.C:\temp）が保存処理時の保存場所になるということである。また、ＯＫ（４０４）を押下することで４０１〜４０３で設定された構成情報を情報処理装置に生成することが可能であり、キャンセル（４０５）を押下することで、設定を中断することが可能である。
【００２６】
図５は、ファイル保存確認の表示例を示す図である。５００は、ファイルを保存するか否かを確認するダイアログを示しており、ユーザが前述のアプリケーションの操作を行った際に表示することが可能なものとする。名前を付けて保存（５０１）を押下すると、名前を付けて保存のダイアログが表示され、上書き保存（５０２）を押下すると、ファイルの上書き保存を行う。また、キャンセル（５０３）を押下することで、保存を中断することが可能である。
【００２７】
図６は、名前を付けて保存画面の表示例を示す図である。６００は名前を付けて保存ダイアログを示しており、前述した名前を付けて保存（５０１）を押下、または統合アプリケーションのメニューバーから名前を付けて保存を選択した際に表示することが可能なものとする。６０１はファイルの保存場所で、前述の構成情報に含まれる操作をユーザが行うと、操作に対応した保存場所をファイルパス（６０１）に表示することが可能なものとする。６０２はファイルパス（６０１）の中に格納されているファイルの一覧である。６０３に選択しているファイル（３０３）の名前が表示され、６０４に６０３に表示されたファイル名の拡張子が表示される。
【００２８】
保存（６０５）を押下することで６０３、６０４の設定を反映させたファイルを（６０１）で指定したファイルパスに保存が可能なものとする。また、キャンセル（７０６）を押下することで、ファイルの保存を中断することが可能である。
【００２９】
図７は、情報処理装置に保存された構成情報リストの例を示す図である。構成情報リスト（７００）は、構成情報の設定（４００）で設定したリストであり、情報処理装置（１００）が前述の構成情報の設定（４００）から作成する。
【００３０】
この構成情報リスト（７００）は、登録番号７０１、操作７０２、保存用フォルダ７０３、通知設定の有無のフラグ（７０４）から成る。
【００３１】
登録番号（７０１）は、構成情報が生成された順に１ずつ数値が増えるものとする。情報処理装置（１００）が本構成情報リストを参照することにより、選択されているファイル（３０３）をユーザの操作に対応した保存場所と判断し処理する。
【００３２】
図８は、総合アプリケーションによる構成情報生成の処理手順を説明するためのフローチャートを示している。本フローチャートを開始するトリガーは、構成情報生成の設定操作となる。総合アプリケーションにおいては、保存操作関連付け（３０６）を押下する操作がトリガーに該当するものとする。
【００３３】
Ｓ８０１は、ユーザが構成情報設定ダイアログ（４００）で選択した情報を受け付けた総合アプリケーションの保存操作関連付け情報部が、その受け付けた情報を保存操作関連付けの構成情報（４０１〜４０３）として設定するステップである。
【００３４】
Ｓ８０２は、Ｓ８０１で設定した情報を元に総合アプリケーションの保存情報関連付けた構成情報の生成を行うか否かを判断する処理ステップである。総合アプリケーションの保存操作関連付け情報部は、構成情報生成ダイアログ（６００）のＯＫボタン（４０４）が押下された場合、構成情報を保存すると判断しＳ８０３へ進む。一方、ＯＫボタン（４０４）が押下されなかった場合、構成情報を保存しないと判断し、Ｓ９０１へ進む。
【００３５】
Ｓ８０３は、Ｓ８０１で設定した構成情報を保存操作関連付け情報部が保存するステップである。Ｓ８０１で保存操作関連付け情報部が受け付けた構成情報（４０１〜４０３）は、図７の構成情報リスト（７００）として保存され、総合アプリケーションの記憶部（２０５）に格納する。また、保存された構成情報リスト（７００）は、ファイルの保存処理の際に使用する（詳細は後述）。Ｓ８０３のステップ後、本フローチャートの処理を終了する。
【００３６】
図９は、総合アプリケーションの総合アプリケーションＵＩ部がユーザの行ったアプリケーションの操作を受け取った際の処理手順を説明するためのフローチャートである。本フローチャートを開始するトリガーは、総合アプリケーションＵＩ部がユーザのアプリケーションの操作を受け取ることとする。
【００３７】
Ｓ９０１は、総合アプリケーションＵＩ部がユーザの操作を受け取った際に前記操作が構成情報リスト（７００）のアプリケーションの操作（７０２）と一致するか否かを判断する処理ステップである。
【００３８】
総合アプリケーションＵＩ部が受けた取ったユーザの操作と構成情報として保存されているアプリケーションの操作（７０２）が一致した場合は、操作保存関連付け設定ダイアログ（４００）で設定したアプリケーション操作（４０１）をユーザが行ったと判断し、Ｓ９０２へ進む。一方、総合アプリケーションＵＩ部が受けた取ったユーザの操作とアプリケーションの操作（７０２）が一致しなかった場合、操作保存関連付け設定ダイアログ（４００）で設定したアプリケーション操作（４０１）をユーザが行っていないと判断し、本フローチャートの処理を終了する。
【００３９】
Ｓ９０２は、Ｓ９０１で総合アプリケーションの操作保存関連付け設定部が総合アプリケーションの総合アプリケーションＵＩ部から受け取ったアプリケーションの操作を元に前記操作に関連した構成情報を取得する処理ステップである。総合アプリケーションの操作保存関連付け設定部は、図７の構成情報リスト（７００）からＳ９０１で受け取ったアプリケーションの操作と関連した情報（保存用フォルダ、通知設定）を取得する。Ｓ９０２のステップ後、処理Ａへ進む。
【００４０】
図１０は、総合アプリケーションによるファイルの保存処理手順を説明するためのフローチャートである。本フローチャートを開始するトリガーは、総合アプリケーションの操作保存関連付け設定部が構成情報リストの取得となる。また、本フローチャートでは、前述の取得した構成情報を利用する。
【００４１】
Ｓ１００１は、総合アプリケーションの総合アプリケーションＵＩ部がファイル保存処理を受け取るか否かを判断する処理ステップである。総合アプリケーションＵＩ部は、統合アプリケーションのメニューバーから名前を付けて保存または上書き保存の選択を受け付けた場合、ファイルを保存すると判断し、Ｓ１００２へ進む。
【００４２】
Ｓ１００２は、ユーザが上書き保存をしたか否かを総合アプリケーションＵＩ部が判断する処理ステップである。総合アプリケーションのＵＩ部は、ユーザが前述の上書き保存の操作を行った場合、ユーザはファイルの上書き保存を行ったと判断し、Ｓ１００３へ進む。一方、上書き保存の操作を行わなかった場合、ユーザはファイルの上書き保存を行わなかったと判断し、Ｓ１００５へ進む。
【００４３】
Ｓ１００３は、ユーザが操作を行ったファイルを閉じたか否かを総合アプリケーションＵＩ部が判断する処理ステップである。総合アプリケーションＵＩ部は、ユーザが３０２で選択されているファイルが閉じた場合、ユーザはファイルを閉じたと判断し、Ｓ１００４へ進む。一方、ユーザが３０２で選択されているファイルを閉じた場合、ユーザはファイルを閉じなかったと判断し、処理Ｂへ進む。
【００４４】
Ｓ１００４は、総合アプリケーションの操作保存関連付け設定部がアプリケーションの操作と関連付けられた保存場所へファイルを移動する処理ステップである。総合アプリケーションの操作保存関連付け設定部は、Ｓ１００３で閉じたファイルをＳ９０２取得した保存用フォルダ（７０３）に移動する処理を行い、本フローチャートの処理を終了する。
【００４５】
Ｓ１００５は、名前を付けて保存のダイアログの保存先の初期値を変更するステップである。総合アプリケーションの総合アプリケーションＵＩ部は、前述の構成情報から取得した保存用フォルダのパスを名前を付けて保存ダイアログに保存場所の初期値として出力する。
【００４６】
Ｓ１００６は、ユーザが名前を付けて保存を行った際のファイルの保存場所と前述の構成情報から取得した保存用フォルダのパスが一致したか否かを総合アプリケーションの保存操作関連付け情報部が判定する処理ステップである。総合アプリケーションの保存操作関連付け情報部は、ユーザが名前を付けて保存を行った際のファイルの保存場所と前述の保存用フォルダ（７０３）のパスが一致した場合、ファイルを操作と関連付けたフォルダに保存したと判断し、Ｓ１００６へ進む。一方、ユーザが名前を付けて保存を行った際のファイルの保存場所と前述の保存用フォルダ（７０３）のパスが一致しなかった場合、ファイルを操作と関連付けたフォルダに保存しなかったと判断し、本フローチャートを終了する。
【００４７】
Ｓ１００７は、保存したファイルの元ファイルを削除するステップである。総合アプリケーションの操作保存関連付け設定部が保存処理を行ったファイルの元ファイルを削除し、本フローチャートの処理を終了する。
【００４８】
図１１は、統合アプリケーションで構成情報を生成するための表示例を示す図である。１１００〜１１０５は図４の４００〜４０５と同じ構成である。図１１は図４の構成情報設定ダイアログの設定とは別に、アプリケーション全体設定の有無１１０６、設定反映フォルダ１１０７を設定することが可能なものとする。
【００４９】
１１０６は構成情報で設定したアプリケーションの操作（１１０１）をユーザが行った際に、前記操作をアプリケーション全体の範囲として関連付けを行うか否かを設定するチェックボックスである。チェックＯＮにすることでアプリケーションの操作をアプリケーション全体の範囲で関連付けることが可能になる。１１０７は指定したフォルダにあるファイルに対してアプリケーションの操作を行うことで、設定を反映させるフォルダである。
【００５０】
ただし、アプリケーション全体設定（１１０６）のチェックがＯＮの場合は、設定反映フォルダ（１１０７）を設定不可とする。また、ＯＫ（１１０４）を押下することで１１０１〜１１０３、１１０６、１１０７で設定された構成情報を情報処理装置に生成することが可能であり、キャンセル（４０５）を押下することで、設定を中断することが可能である。また、アプリケーション全体設定の有無１１０６、設定反映フォルダ１１０７はＳ９０１の操作をアプリケーションＵＩ部が取得する際に使用する。
【００５１】
図１２は、総合アプリケーションによるファイルの保存処理手順を説明するためのフローチャートである。本フローチャートを開始するトリガーは、総合アプリケーションの操作保存関連付け設定部が構成情報リストの取得となる。また、本フローチャートでは、前述の取得した構成情報を利用する。１２０３〜１２０６、１２０８、１２０９は図４の１００１〜１００４、１００５、１００６と同じ構成である。
【００５２】
Ｓ１２０１は、総合アプリケーションの操作保存関連付け設定部が前述の構成情報の通知設定がＯＮか否かを判断する処理ステップである。総合アプリケーションの操作保存関連付け設定部（４０３）は、図７の構成情報リスト（７００）の通知設定のフラグ（７０４）がＯＮの場合、ファイルを保存するか否かを確認するダイアログを表示すると判断し、Ｓ１２０２へ進む。一方、図７の構成情報リスト（７００）の通知設定のフラグ（７０４）がＯＦＦの場合、ファイルを保存するか否かを確認するダイアログを表示しないと判断し、Ｓ１２０３に進む。
【００５３】
Ｓ１２０２は、総合アプリケーションの総合アプリケーションＵＩ部がファイルを保存するか否かを確認するダイアログを表示するステップである。総合アプリケーションＵＩ部は、図５のファイルを保存するか否かを確認するダイアログ（５００）を表示する。
【００５４】
Ｓ１２０３は、総合アプリケーションの総合アプリケーションＵＩ部がファイル保存処理を受け取るか否かを判断する処理ステップである。総合アプリケーションＵＩ部は、Ｓ１２０２で表示した図５のファイルを保存するか否かを確認するダイアログ（５００）の名前を付けて保存（５０１）または上書き保存（５０２）が押下された場合、ファイルを保存すると判断し、Ｓ１２０４へ進む。Ｓ１２０２で表示した図５のファイルを保存するか否かを確認するダイアログ（５００）の名前を付けて保存（５０１）または上書き保存（５０２）が押下されなかった場合、ファイルを保存しないと判断し、処理Ｂへ進む。
【００５５】
ただし、前記ダイアログの名前を付けて保存（５０１）または上書き保存（５０２）が押下されなかった場合の後に、統合アプリケーションのメニューバーから名前を付けて保存または上書き保存を選択した場合、ファイルを保存すると判断し、Ｓ１２０４へ進む。また、処理ステップがＳ１２０１からＳ１２０３へ遷移した場合も同様に、統合アプリケーションのメニューバーから名前を付けて保存または上書き保存を選択した場合、ファイルを保存すると判断し、Ｓ１２０４へ進む。
【００５６】
Ｓ１２０７は、名前を付けて保存のダイアログの保存先の初期値を変更するステップである。総合アプリケーションの総合アプリケーションＵＩ部は、前述の構成情報から取得した保存用フォルダのパスを名前を付けて保存ダイアログに保存場所の初期値として出力する。
【００５７】
Ｓ１２０８は、ユーザが名前を付けて保存を行った際のファイルの保存場所と前述の構成情報から取得した保存用フォルダのパスが一致したか否かを総合アプリケーションの保存操作関連付け情報部が判定する処理ステップである。総合アプリケーションの保存操作関連付け情報部は、ユーザが名前を付けて保存を行った際のファイルの保存場所と前述の保存用フォルダ（７０３）のパスが一致した場合、ファイルを操作と関連付けたフォルダに保存したと判断し、Ｓ１２０９へ進む。一方、ユーザが名前を付けて保存を行った際のファイルの保存場所と前述の保存用フォルダ（７０３）のパスが一致しなかった場合、ファイルを操作と関連付けたフォルダに保存しなかったと判断し、本フローチャートを終了する。
【符号の説明】
【００５８】
１００  情報処理装置
１０２  表示部
１０５  キーボード
１０６  ポインティングデバイス
【図１】
2015022680.tif 000003
【図２】
2015022680.tif 000004
【図３】
2015022680.tif 000005
【図４】
2015022680.tif 000006
【図５】
2015022680.tif 000007
【図６】
2015022680.tif 000008
【図７】
2015022680.tif 000009
【図８】
2015022680.tif 000010
【図９】
2015022680.tif 000011
【図１０】
2015022680.tif 000012
【図１１】
2015022680.tif 000013
【図１２】
2015022680.tif 000014